(57)【要約】【課題】撮影した画像が手ぶれした可能性が高い場合に警告を発すると共に、手ぶれの検出においてはセンサを必要としないで製品のコスト削減や小型化に有利となる撮像装置を提供する。【解決手段】撮像装置１０は、被写体を撮像する撮像部１と、撮像された画像を圧縮する画像圧縮部２と、画像圧縮におけるＤＣＴ変換の段階で、ｎ×ｎ画素ブロックのＤＣＴ係数マトリクスの内で水平垂直周波数が比較的高いブロックにおけるＤＣＴ係数値に基づき圧縮率を算出する圧縮率算出部３と、撮影前後の画像の圧縮率の大小を比較する圧縮率比較部４と、比較対象画像に対して圧縮率が大きい（ＤＣＴ係数算出値が小さい）ときには撮影画像の高周波部分が減少していることによる手ぶれを起こしていると判断する手ぶれ検出部５と、手ぶれの警告等を表示する表示部７を有する。【選択図】図１
2005252666.tif 000002
【特許請求の範囲】
【請求項１】
被写体を撮像する撮像部と、
前記撮像部によって撮像された画像を圧縮・符合化する画像圧縮部と、
前記画像圧縮部が出力する圧縮・符合化された画像を記録する画像記録部と、
前記画像圧縮部内の処理系統のある段階において圧縮率を算出する圧縮率算出部と、
撮影前後の各画像の前記圧縮率を比較する圧縮率比較部と、
前記圧縮率の比較結果に基づいて手ぶれの有無を検出する手ぶれ検出部とを備えることを特徴とする、
撮像装置。
【請求項２】
請求項１に記載の撮像装置であって、
前記圧縮率算出部は、前記画像圧縮部内の前記処理系統の途中の処理段階に該当するＤＣＴ変換の段階で、前記圧縮率を算出する部分であり、
前記圧縮率算出部は、ｎ×ｎ画素ブロックに関して前記ＤＣＴ変換で得られるｎ×ｎＤＣＴ係数マトリクスの内で最右下部のブロック（ｎ，ｎ）を含むｍ×ｍ（ｍはｎより小さい任意の整数）個のブロック内におけるＤＣＴ係数値の偏りに基づいて、前記圧縮率を算出し、
前記圧縮率比較部は、前記圧縮率算出部が出力する前記撮影前後の各画像の圧縮率の大小を比較し、
前記手ぶれ検出部は、撮影後の画像の圧縮率が撮影前の画像の圧縮率よりも大きいときに、当該撮影時に手ぶれを起こしていると判断することを特徴とする、
撮像装置。
【請求項３】
請求項１又は２に記載の撮像装置であって、
前記手ぶれ検出部が前記手ぶれを検出するときには、撮像画像が手ぶれしたことをユーザーに警告すると共に、当該撮像画像を前記画像記録部内に保存するか否かをユーザーに問う表示部を更に備えることを特徴とする、
撮像装置。
【請求項４】
請求項１乃至３の何れかに記載の撮像装置であって、
前記撮像装置のレリーズスイッチを半押しする時間に応じて、（１）前記手ぶれの有無に拘らず当該画像を前記画像記録部に保存する第１処理と、（２）前記圧縮率算出部と前記圧縮率比較部と前記手ぶれ検出部とによって、手ぶれ警告のために前記手ぶれの有無の検出を行う第２処理とを切り替える切換部を更に備えることを特徴とする、
撮像装置。
【請求項５】
請求項１乃至４の何れかに記載の前記撮像装置を備えることを特徴とする、
携帯電話。
【発明の詳細な説明】
【技術分野】
【０００１】
本発明は、ＣＣＤイメージセンサ等の固体撮像素子を有する撮像装置に関するものであり、特に手ぶれ警告機能（手ぶれ検出機能）を有する撮像装置に関する。
【背景技術】
【０００２】
従来の撮像装置においては、例えば、撮影者が不安定な場所や不安定な体勢で撮影していた場合や被写体が動いている場合に、又は、低照度での撮影のために撮像装置のシャッタースピードが遅くなっている場合等に、手ぶれによって、せっかく撮影した画像が劣化してしまっていることがある。この様な手ぶれによる撮影画像の劣化を防止するために、シャッターをきる度に、そのとき撮影した画像が手ぶれによって劣化している可能性があることを警告する撮像装置が、提案されている。この場合、角速度センサや加速度センサ等のセンサを手ぶれ検出手段として具備する撮像装置が、提案されている。
【０００３】
例えば、下記の特許文献１においては、撮影した画像の再生時、或いは記憶済みの画像ファイルの再生時に、撮影前と撮影後の撮像装置が判断した情報を再生画像データといっしょに表示する手段が設けられており、例えば撮影前にシャッタースピードが遅いために手ぶれ警告が出ていた状態で撮影した画像を再生する際には、手ぶれ警告が出ていたことを上記表示手段によって情報として知らせることにより、当該情報はユーザーが撮影した画像の写り具合を判断する材料となり得、その結果、ユーザーは撮り直す等の対策を取ることが出来る。
【０００４】
又、下記の特許文献２では、手ぶれを含む振動の有無等を検知するために、加速度センサを用いた撮像装置が提案されている。
【０００５】
【特許文献１】特開２００３−１５８６４６号公報
【特許文献２】特開２００１−１９７３５１号公報
【発明の開示】
【発明が解決しようとする課題】
【０００６】
しかしながら、（１）特に初心者は、手ぶれ警告に関係なくレリーズスイッチを全押しする際には、半押し時よりもスイッチを押す指に力を入れ過ぎてしまい、結果として手ぶれを招いてしまう傾向がある。又、（２）撮影した画像に対して手ぶれを起こした状況で撮像されたものであるとの情報がユーザーに与えられても、肝心である実際に手ぶれしているかどうかについてはユーザーの判断に委ねられており、わずかな手ぶれについては余程画像についての知識がない限り全てのユーザーが正しく判断することは難しい。更に、（３）手ぶれの警告についても、暗い場所での撮影等でシャッタースピードが遅いときには容易に手ぶれすることが予測できるが、晴天時における日中の屋外で撮影するときには、シャッタースピードは遅くならないため、シャッタースピードによる手ぶれ警告を出せない。
【０００７】
又、（４）手ぶれ検出用センサとして角速度センサや加速度センサを用いたとしても、その分だけ、当然にコストが増える。特に、（５）撮像装置付き携帯電話機においては、その携帯性を重視して、出来る限り部品形状を小さくして高密度に実装することが求められるため、いかに軽量でサイズが小さいセンサを用いても、部品を実装すれば、その部品分の体積は増加する。
【０００８】
近年、ＭＥＭＳ（Micro-Electronics-Mechanism-System）技術を用いることで数ミリ四方の大きさの加速度センサが開発されており、この様な加速度センサを手ぶれ検出用センサとして用いることも可能ではあるが、コストも掛るために、この様なセンサは先ず高価なデジタルカメラから搭載されることが容易に考えられ、安価なデジタルカメラや撮像装置付き携帯電話機では、その採用が困難である。
【０００９】
本発明は、上述した様な様々な課題を一挙に解決するためになされたものであり、撮影した画像が手ぶれ状態で撮影された画像である可能性が高い場合に、加速度センサ等のセンサを必要とすること無く、手ぶれを確実に検出してユーザーに警告を発すると共に、その様な機能実現に際して製品のコスト削減化や小型化にも寄与し得る撮像装置を提供することを、その目的としている。
【課題を解決するための手段】
【００１０】
本発明の主題に係る撮像装置は、被写体を撮像する撮像部と、前記撮像部によって撮像された画像を圧縮・符合化する画像圧縮部と、前記画像圧縮部が出力する圧縮・符合化された画像を記録する画像記録部と、前記画像圧縮部内の処理系統のある段階において圧縮率を算出する圧縮率算出部と、撮影前後の各画像の前記圧縮率を比較する圧縮率比較部と、前記圧縮率の比較結果に基づいて手ぶれの有無を検出する手ぶれ検出部とを備えることを特徴とする。
【００１１】
以下、この発明の主題の様々な具体化を、添付図面を基に、その効果・利点と共に、詳述する。
【発明の効果】
【００１２】
この発明の主題によれば、加速度センサ等のセンサ部品を新たに設けること無く（従って、製品のコスト削減化・小型化を可能にし得る）、通常、画像を圧縮記録する際には必ず実行される処理系統の途中処理の段階において手ぶれを検出することが可能となる。
【発明を実施するための最良の形態】
【００１３】
（実施の形態１）
図１は、本実施の形態に係る撮像装置１０の基本構成を示すブロック図である。同図において、本撮像装置１０は、被写体を撮像する固体撮像素子としてＣＣＤイメージセンサ等を用いた撮像部（同部はＣＣＤイメージセンサの出力信号のＡ／Ｄ変換部を内蔵している）１と、撮像部１がＡ／Ｄ変換した上で出力する撮像された画像（デジタルデータ）を圧縮・符合化する画像圧縮部２と、圧縮・符合化後の画像を内蔵するフレームメモリ等の記録媒体に記憶する画像記録部６とを備える。更に、撮像装置１０は、この発明の中核を成す回路構成要素として、画像を圧縮する際の圧縮率を算出する圧縮率算出部３と、撮影の前画像の圧縮率と後画像の圧縮率とを比較する圧縮率比較部４と、圧縮率比較部４における比較結果に基づいて手ぶれの有無を検出する手ぶれ検出部５と、手ぶれ検出部５が出力する手ぶれの有無の検出結果に基づき後述する手ぶれ警告や当該後画像の保存の必要性を確認するメッセージを表示する表示部（モニタやそのドライバ等を内蔵する装置部分）７と、ユーザーの撮像データ保存の意思を示す信号を入力するコマンド入力部８とを、具備している。上述の通り、これらの各構成要素の内で、本実施の形態の中核を成す部分は、圧縮率算出部３と圧縮率比較部４と手ぶれ検出部５と表示部７とから成る信号処理部（処理系統）である。特に、圧縮率算出部３は、後述する通り、画像圧縮部２内の処理系統の途中の処理段階に該当するＤＣＴ変換の段階で、圧縮率を算出する部分であり、同部３は、ｎ×ｎ画素ブロックに関してＤＣＴ変換で得られるｎ×ｎＤＣＴ係数マトリクスの内で、対角線上の最右下部のブロック（ｎ，ｎ）を含むｍ×ｍ（ｍはｎより小さい任意の整数）個のブロック内におけるＤＣＴ係数値の偏り乃至ばらつきに基づいて、高周波成分の偏りの度合いを示す圧縮率を算出する。
【００１４】
次に、図１の画像圧縮部２における画像の圧縮方式を、図２のブロック図を用いて記載する。ここでは、不可逆圧縮方式であるＤＣＴ方式を用いたＪＰＥＧ方式を用いて説明する。先ず、ＹＵＶ変換部１０２は、原画像１０１を基にＲＧＢ色空間をＹＵＶ色空間へ変換した後、ｎ×ｎの画素ブロック毎に、例えばｎ＝８として８×８の画素ブロック毎に、画像を分割する。その後、ＤＣＴ（Discrete  Cosine  Transform：離散的コサイン変換）部１０３は、ＤＣＴを用いて空間周波数領域への変換を行い、８×８画素の画像について高周波成分と低周波成分との分布を明確化する（ｎ×ｎＤＣＴ係数マトリクスの算出）。その後、量子化部１０４は、８×８＝６４画素分の量子化テーブル１０７の値を用いて、各画素のＤＣＴ係数を、対応する係数位置の量子化テーブル値で除算することにより、量子化を行って、画像の持つ情報を削減することで圧縮率を上げる。量子化テーブル１０７のテーブル値にどのようなパラメータを設定するかによって、圧縮率を自由に換えることが出来る。一般的には、圧縮率を上げる程に、画質は低下する。その後、エントロピー符号化部１０５は、量子化されたデータに基づいてエントロピー符号語の長さを変えて、符号化データが格納される空間容量を出来るだけ小さくする操作を行うことで、その後、圧縮画像１０６が生成される。
【００１５】
一般的に、画像に含まれる高周波成分は、画像の圧縮率に対して大きな影響を持つと言える。「高周波成分」とはつまり被写体の輪郭であり、輪郭がシャープである程に、圧縮率は低くなる。即ち、同じ構図にて被写体を撮像した場合に、手ぶれをしたり、あるいはフォーカスがずれたりしたときの画像には、手ぶれを起こさない場合の画像と比べて、輪郭部分の欠如が生じており、このことにより圧縮率が高くなる（手ぶれ撮影による画像→高周波成分は少ない→圧縮率が高い）。
【００１６】
本発明は上記の論理を利用したものであり、同じ被写体を同じ条件にて撮像した場合に、本来殆ど同じである筈の画像の圧縮率に差異が生じ、その結果としてファイルサイズが異なる圧縮画像が生成されたとすれば、ファイルサイズが小さいものは、ファイルサイズが大きいものに比べて、高圧縮率にて処理されたもの、つまりは、輪郭の高周波成分が欠如しており手ぶれを起こしているものと、判断出来る。
【００１７】
図１の圧縮率比較部４において圧縮率を比較する際には、当然の事ながら、比較対象となるべき画像が必要である。この場合、本撮像装置１０を搭載したデジタルカメラやカメラ付き携帯電話のレリーズスイッチが半押しされたときに比較対象となる第１画像を撮像し、レリーズスイッチが全押しされたときに撮像した画像を第２画像として、圧縮率比較部４は第１及び第２画像の圧縮率を比較するものとする。
【００１８】
図１の圧縮率算出部３は、後述する通り、図２のＤＣＴ部１０３における処理段階の結果のみに基づき、画像の圧縮率を予測する。そのため、実際に画像の圧縮作業を伴うわけではないので、余分なメモリを必要とせず、算出時間も短時間で済むと言う利点がある。
【００１９】
図３は、ＤＣＴ後の８×８画素分のＤＣＴ係数マトリクスを示している。当該マトリクスの横方向は画像の水平方向の周波数成分を示しており、その縦方向は垂直方向の周波数成分を示す。図３の紙面において、右に行く程に水平空間周波数が高くなり、下方向に行く程に垂直空間周波数が高くなる。一般的な画像においては、殆どのエネルギーが低周波側に偏っているため、ＤＣＴ後のＤＣＴ係数マトリクスにおいては、対角線上の最左上部（a）とその近傍にスペクトルが集中し、当該対角線上の最右下部（b）に行く程にＤＣＴ係数値が小さくなる傾向にある。従って、手ぶれを起こしていない画像では、輪郭部の高周波成分が残っているため、図３の最右下部（b）近傍のブロックのＤＣＴ係数が存在する。これとは対照的に、撮影時に手ぶれを起こしたときの画像においては、輪郭部の高周波成分が殆ど無くなっているために、図３の最右下部（b）近傍のブロックには、殆どＤＣＴ係数が存在しない。この点に着眼するならば、圧縮率算出部３における動作乃至は処理とは、ＤＣＴ処理後の（ｎ×ｎ）個の画素ブロックに関するＤＣＴ係数マトリクスにおいて、水平及び垂直の空間周波数が比較的に高い領域のＤＣＴ係数値のみを、より正確には、最右下部（b）のブロックを必ず含めつつ同部（b）から水平及び垂直の各方向に数えて（ｍ×ｍ）個（ｍ＜ｎ）のブロック内に偏在するＤＣＴ係数値を算出乃至は抽出して、それらのＤＣＴ係数値のばらつき度合い（同ブロック内の偏りの程度）を与える量として、当該画像の圧縮率を予測することに他ならない。換言すれば、圧縮率算出部３は、水平垂直空間周波数が高い領域（最右下部（b）側の（ｍ×ｍ）個のブロックで規定される領域）内におけるＤＣＴ係数値（周波数成分）の偏り度合いに応じて、その偏りの程度乃至は分布を示す数値（例えば偏り度合いを基準のテーブル値と比較することで数値化されるものであり、それは％で表示されるものではない）で以って、当該画像の圧縮率を設定する。従って、圧縮率算出部３は、（ｍ×ｍ）個のブロック内における高周波数成分のＤＣＴ係数値の偏在値が大きい場合には低圧縮率を、逆にＤＣＴ係数の偏在値が小さい場合には高圧縮率を、ＤＣＴ画像の圧縮率として割り当てる。
【００２０】
手ぶれを起こしているか否かは、画像中にどれだけ輪郭が残っているか否かによって、従って、高周波成分がどれだけ残っているか否かによって、判断出来る。そのため、ＤＣＴ係数の比較では、８×８＝６４個の全てのブロックのＤＣＴ係数を見る必要はなく、図３のＤＣＴ係数マトリクスの最右下部（ｂ）側の高周波部分だけを見れば十分である。よって、本実施の形態では、既述の通り、最右下部（ｂ）とその近傍部分のブロックから成る（ｍ×ｍ）個のブロック内におけるＤＣＴ係数の偏りを、圧縮率を予想するための評価値として見るものとしている。例えば、典型的な一例であるｎ＝８及びｍ＝４とした上で、８×８画素ＤＣＴ係数マトリクス内の最右下４×４画素分のＤＣＴ係数値の偏り具合を数値化して算出することで、手ぶれ検出を行う。
【００２１】
図４は、本実施の形態に係る撮像装置１０を具備したデジタルカメラの背面図である。図４の一例はデジタルカメラの形状を示しているが、本実施の形態に係る撮像装置１０を具備した携帯電話機では、その形状は図４のものとは異なる（図示せず）。但し、図４に示すレリーズスイッチ２０１及び画像表示用ＬＣＤモニタ２０２を具備している点は、デジタルカメラ及びカメラ付き携帯電話機に共通である。
【００２２】
レリーズスイッチ２０１は２アクションの仕様であり、本撮像装置１０は、レリーズスイッチ２０１が半押し状態にされたときに瞬間的に取り込んだ画像の圧縮率を算出すると共に、レリーズスイッチ２０１が全押し状態にされたときにもその瞬間の画像を取り込んで圧縮率を算出し、半押し時の画像の圧縮率と全押し時の画像の圧縮率とを比較する。
【００２３】
画像表示用ＬＣＤモニタ２０２は、半押し時に撮像装置１０が圧縮率を算出している間、モニタ画面上に、処理中であることを示すマーク２０３等を表示する。又、撮像装置１０が手ぶれを検出した際には、画像表示用ＬＣＤモニタ２０２は、「手ぶれをしました」等、手ぶれをしたことをユーザーに警告するためのメッセージや手ぶれ警告マークを、そのモニタ画面上に表示する。更に、画像表示用ＬＣＤモニタ２０２は、手ぶれ警告をすると共に、全押し状態において取り込んだＤＣＴ済みの画像を更に圧縮・符合化処理して画像記録部６内に保存するか否かの確認メッセージを表示する。
【００２４】
以下に、図５のフローチャートを用いて、本撮像装置１０の動作を簡単に記載する。レリーズスイッチ２０１が半押しされたとき、先ず、撮像装置１０は圧縮率（Ａ）を算出する（ステップＳ１、Ｓ２）。次に、レリーズスイッチ２０１が全押しされたかどうかを比較し、半押し状態が開放された場合にはスタートに戻り、半押し状態から全押しされたときには、撮像装置１０は、このときの圧縮率（Ｂ）を算出する（ステップＳ３、Ｓ４）。次に、撮像装置１０は、圧縮率（Ａ）と圧縮率（Ｂ）とを比較し、全押し時の圧縮率（Ｂ）の方が半押し時の圧縮率（Ａ）よりも大きい場合には（Ｂ＞Ａ）、手ぶれ検出部５は全押し時に撮像した画像が手ぶれを起こしていると判断して表示部７にその旨を伝える駆動信号を出力し、その結果、表示部７は、そのＬＣＤモニタ２０２の画面上に、手ぶれの警告マーク２０３あるいは警告メッセージを表示し、他方、全押し時の圧縮率（Ｂ）の方が半押し時の圧縮率（Ａ）と殆ど同じか、若しくは、小さい場合には、手ぶれ検出部５は、画像圧縮部２に対して圧縮・符合化を進めるべき旨を指示するコマンド信号を送信し、その結果、画像圧縮部２及び画像記録部６は、そのまま全押し時の画像を圧縮保存する（ステップＳ５、Ｓ６）。
【００２５】
上述の通り、表示部７は、手ぶれを起こしたことを警告すると同時に、「保存しますか？」と言ったメッセージを、そのＬＣＤモニタ２０２の画面上に表示することで、手ぶれの可能性が高いその画像を保存するか否かをユーザーに問い掛ける。そのとき、ユーザーが当該画像を保存しないことを選択して、その旨を指示する指令をコマンド入力部８から入力した場合には、本装置１０は、レリーズスイッチ２０１を全押しした際にメモリに取り込んだ画像を消去してスタートに戻り、逆に、ユーザーが全押し時の当該画像を保存することを選択してコマンド入力部８を操作した場合には、本装置１０は、そのまま当該画像を圧縮保存する（ステップＳ７、Ｓ８）。
【００２６】
圧縮率算出のためには、ＣＣＤ等の固体撮像素子の持つ全画素を読み出す必要があるが、ＬＣＤモニタ２０２自体は小型であるために、固体撮像素子の持つ画素数が高画素数であった場合には、固体撮像素子の持つ全画素をＬＣＤモニタ２０２に表示することが出来ない場合が生じる。例えば、ＶＧＡ（６４０×４８０）の画素数を有するＣＣＤを固体撮像素子として用いても、ＬＣＤモニタ２０２が表示し得る画素数がＱＶＧＡ（３２０×２８０）の画素数しかなければ、当該固体撮像素子が有する全画素の３／４は不要である。又、動画に耐えうるフレームレートを確保するために、単純にクロックレートを上げるのでは消費電力の増加や回路規模の増加を招いてしまうため、クロックレートを変えずに固体撮像素子から読み出す画素数を減らすことで、動画表示に必要なフレームレートを確保することが求められる。そのため、ＬＣＤモニタ２０２をビューファインダーとして動画を表示させる場合には、予めＣＣＤ等の固体撮像素子を「高速読出しモード」で駆動するか、あるいは、固体撮像素子後段の信号処理において不要画素を間引いてＬＣＤモニタ２０２に間引き後の画像を表示している。ここでいう「高速読出しモード」とはＣＣＤ等の固体撮像素子の画素を読み出す際に、画素を一定の割合で間引いて読出したり、ＲＧＢ画素のうち、同色画素を一定の割合で混合させて読み出すモード、あるいは両方を組み合わせて読み出すモードのことをいう。
【００２７】
即ち、レリーズスイッチ２０１を全押しして圧縮記録する画像を画像記録部６内のメモリに取り込む際は勿論のことであるが、レリーズスイッチ２０１を半押しして圧縮率を算出する際にも「全画素読出しモード」で固体撮像素子を駆動する必要がある。そのため、レリーズスイッチ２０１を半押し及び全押しする際には、ＬＣＤモニタ２０２をビューファインダーとして動画を表示させていたときの「高速読出しモード」から「全画素読出しモード」へと、固体撮像素子駆動モードを移行させる必要がある。
【００２８】
図６は、レリーズスイッチ２０１が押されるタイミングと、そのときの固体撮像素子の駆動モードと、ＬＣＤモニタ２０２上の表示とを模式的に図示したタイミングチャートである。図６において、ＬＣＤモニタ表示３０１は動画を表わし、ＬＣＤモニタ表示３０２は静止画を表わし、ＬＣＤモニタ表示３０３は画像を保存する際の表示例を示している。「高速読出しモード」及び「全画素読出しモード」は、図６に示す通り、垂直同期信号ＶＤに同期して切り替わる。カメラ電源が入っている状態で被写体をＬＣＤモニタ２０２上に映しているときには、固体撮像素子は「高速読出しモード」で駆動されており、プレビュー時の動画が映される。このとき、レリーズスイッチ２０１は、半押しも全押しも成されていない状態にある。それからレリーズスイッチ２０１が半押しされると、次の垂直同期信号（パルス）ＶＤの立上がりタイミングを待って、固体撮像素子は現在の「高速読出しモード」から「全画素読出しモード」に移行して、既述した圧縮率の算出が実行される。このときのＬＣＤモニタ表示３０２は、「高速読出しモード」時の１フレーム全体の画像を静止画３０２として表示したものであり、同時に、ＬＣＤモニタ２０２上には、圧縮率算出中であることを示すマーク２０３が表示される。圧縮率の算出処理が終了すると、次の垂直同期信号ＶＤの立上がりタイミングを待って、固体撮像素子は再び「高速読出しモード」に移行する。このときのＬＣＤモニタ表示は動画３０１となる。その後、レリーズスイッチ２０１を全押しすると、次の垂直同期信号ＶＤの立上がりタイミングに同期して、固体撮像素子は「高速読出しモード」から「全画素読出しモード」に移行する。その際のＬＣＤモニタ表示は、既述した圧縮率の算出及び比較の処理が行われた後に手ぶれが検出されたときには、「保存しますか」とのメッセージ３０３となり、逆に上記手ぶれが検出されなかった場合には、そのまま「画像保存中」とのメッセージ表示３０３となって、全押し時に取り込んだ画像は画像記録部６内の記録メディアに圧縮保存される。
【００２９】
（実施の形態２）
本実施の形態の特徴点は、「撮像装置のレリーズスイッチを半押しする時間に応じて、（１）手ぶれの有無に拘らず当該画像を画像記録部に保存する第１処理と、（２）圧縮率算出部と圧縮率比較部と手ぶれ検出部とによって、手ぶれ警告のために手ぶれの有無の検出を行う第２処理（実施の形態１で記載した処理系統）とを切り替える切換部」を更に備える点にあり、その他の点は実施の形態１と同一である。従って、本実施の形態の記載においては、実施の形態１の記載において用いた図１及び図２のブロック図を援用する。そうすると、本実施の形態の特徴的構成要素たる上記の切換部は、タイマ等の比較機能部やスイッチ機能部を備えるものであって、例えば、図２のＹＵＶ変換部１０２とＤＣＴ部１０３との間に配置される。その様な切換部を具備する撮像装置の処理動作ないしは機能を以下に記載する。
【００３０】
図７は、図４のレリーズスイッチ２０１が半押しされている時間の長短によって異なるフローを実現させるフローチャートである。具体的には、図７においては、図５のフローチャートに対して、レリーズスイッチ２０１が半押しされている時間を予め定められた所定の時間ｔと比較する処理（ステップＳ９）を、追加している。即ち、ユーザーによってレリーズスイッチ２０１が半押しされている時間（半押し時間）が所定の時間ｔよりも大きい場合には（半押し時間＞所定の時間ｔ）、本撮像装置は、そのまま圧縮率（Ａ）を算出するステップＳ２に移行して実施の形態１で記載した処理と同一の処理（第２処理）を続行する。これに対して、半押し時間が所定の時間ｔ以下であり、しかも、そのままレリーズスイッチ２０１が全押しされた時には、本撮像装置は、圧縮率（Ａ）の算出処理及び圧縮率（Ａ），（Ｂ）の比較処理を行うことなく、そのまま画像を圧縮保存する（１０３→１０４→１０５→１０６）（第１処理）。
【００３１】
本実施の形態は、動く被写体を撮影することで、半押し時と全押し時とに撮影する両画像が全く異なってしまう場合や、手ぶれを起こしてもとにかく早く被写体を撮影したい場合に、有効である。
【００３２】
（実施の形態１及び２に共通する変形例）
実施の形態１及び２においては、ＤＣＴ部１０３が算出するｎ×ｎＤＣＴ係数マトリクスの内で、水平垂直空間周波数が比較的高いブロック、即ち、対角線上の最右下位置の（ｂ）ブロックを必ず含む（ｍ×ｍ）個のブロック（ｍ＜ｎ）内の各ＤＣＴ係数に基づいて、圧縮率算出部３が圧縮率を算出している。しかしながら、これに代えて、図２のエントロピー符号化部１０５の後段のデータサイズに基づいて、圧縮率算出部３が圧縮率を算出することとしても良い（その様な変形を、図２中に、１０５→３への信号の流れとして破線で表記している）。あるいは、レリーズスイッチ２０１を半押ししたときの画像をバッファメモリに圧縮保存してファイルサイズを算出しておき、当該ファイルサイズを、レリーズスイッチ２０１を全押ししたときに圧縮保存したファイルサイズと比較することで、手ぶれを判定しても良い。
【００３３】
又、上記の如く、レリーズスイッチ２０１を半押ししたときの画像を圧縮保存まで実行する様にするならば、レリーズスイッチ２０１を全押ししたときの画像が手ぶれを起こしていると判定した場合には、即ち、圧縮率の比較対象となるレリーズスイッチ２０１を半押ししたときの画像の方は手ぶれを起こしていないと判断して、撮像装置は、レリーズスイッチ半押し時の画像を有効として記録メディアに保存することも出来る。そのため、手ぶれを起こしたからと言って、新たに撮り直す必要性は無い。
【００３４】
又、半押し及び全押しが出来る２アクションのレリーズスイッチを用いずに、ただ押すだけでスイッチが入る１アクションのレリーズスイッチを採用したときでも、同じ被写体を同じ構図及び同じ撮影条件にて２枚撮像する場合には、前圧縮記録画像のファイルサイズに基づいて手ぶれを検出することが出来る点は、自明である。
【００３５】
（付記）
以上、本発明の実施の各形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【産業上の利用可能性】
【００３６】
本発明における手ぶれ検出方法の技術は、デジタルカメラの様な撮像装置に適用可能である他、カメラ機能を有する携帯端末（携帯電話や情報端末機器（例えばＰＤＡ））にも適用可能である。
【図面の簡単な説明】
【００３７】
【図１】本発明の実施の形態１に係る撮像装置の基本構成を示すブロック図である。
【図２】図１の画像圧縮部の各処理部を示すブロック図である。
【図３】本発明に係る８×８ＤＣＴ係数マトリクスを示す概略図である。
【図４】本発明に係るＬＣＤモニタ付きデジタルカメラの背面図である。
【図５】実施の形態１の手ぶれ検出手順を示すフローチャートである。
【図６】本発明に係るレリーズスイッチ状態による撮像装置の動作状態を概念的に示すタイミングチャートである。
【図７】実施の形態２の手ぶれ検出手順を示すフローチャートである。
【符号の説明】
【００３８】
１  撮像部、２  画像圧縮部、３  圧縮率算出部、４  圧縮率比較部、５  手ぶれ検出部、６  画像記録部、７  表示部、８  コマンド入力部、１０  撮像装置、１０１  原画像、１０２  ＹＵＶ変換部、１０３  ＤＣＴ部、１０４  量子化部、１０５  エントロピー符号化部、１０６  圧縮画像、１０７  量子化テーブル、２０１  レリーズスイッチ、２０２  ＬＣＤモニタ、２０３  圧縮率算出中を示すマーク、３０１  動画像、３０２  静止画像、３０３  メッセージ画像。
【図１】
2005252666.tif 000003
【図２】
2005252666.tif 000004
【図３】
2005252666.tif 000005
【図４】
2005252666.tif 000006
【図５】
2005252666.tif 000007
【図６】
2005252666.tif 000008
【図７】
2005252666.tif 000009